(57)【要約】【課題】従来のワンタッチ底組式の梱包箱の場合、底面前蓋貼り合せ部と底面左フラップ、底面後蓋貼り合せ部と底面右フラップが糊貼りされているため、底面前蓋貼り合せ部と底面後蓋貼り合せ部が底面左フラップ、底面前蓋、底面右フラップ、底面後蓋で形成される底面よりも飛び出した構成になっている。梱包箱を集合箱に収納するとき、前述の底面より飛び出している底面前蓋貼り合せ部と底面後蓋貼り合せ部が、すでに収納されている個装箱の上蓋に接触し、摺動痕や端面が折れるという事象が発生していた。【解決手段】ワンタッチ底組式の梱包箱において梱包箱を組立てたとき、底面が凹形状になるように構成しかつ底面前蓋および底面後蓋に切り欠き溝部を設け、梱包箱を組立てたとき切り欠き溝部がお互いに係合するように構成した。また、上述のワンタッチ底組式の梱包箱において底面右フラップと底面左フラップが底面から飛び出さない状態になるように底面を凹形状に構成した。【選択図】図３
2020033070.tif 000002
【特許請求の範囲】
【請求項１】
左側板から接続された底面左フラップ、右側板から接続された底面右フラップ、前側板から接続された底面前蓋および前記底面前蓋に接続された底面前蓋貼り合せ部、後側板から接続された底面後蓋および前記底面後蓋に接続された底面後蓋貼り合せ部から形成されるワンタッチ底組式の梱包箱において
前記梱包箱を組立てたとき、底面が凹形状になるように構成しかつ前記底面前蓋および前記底面後蓋に切り欠き溝部を設け、前記梱包箱を組立てたとき、前記切り欠き溝部がお互いに係合するように構成したことを特徴とするワンタッチ底組式の梱包箱。
【請求項２】
前記底面右フラップと前記底面左フラップが底面から飛び出さない状態になるように底面を凹形状に構成したことを特徴とする請求項１に記載のワンタッチ底組式の梱包箱。
【発明の詳細な説明】
【技術分野】
【０００１】
本発明は、製品を梱包する梱包箱の構造に関するもので、特に折り畳んだ状態から
すぐに梱包箱に組み立てられるワンタッチ底組式の梱包箱に関する。
【背景技術】
【０００２】
従来、ワンタッチ底組式の梱包箱は、図５で示した梱包箱の展開図の構成で作成されている。
【０００３】
側面は、左側板１、前側板２、右側板３、後側板４、貼り合わせ部５で構成され、左側板１と貼り合せ部５が糊貼りされている。上面は、左側板１に接続された左フラップ１２、右側板３に接続された右フラップ３２、後側板４に接続された上蓋４３、上蓋４３に接続された上蓋差し込み部４４で構成されている。
【０００４】
底面は、左側板１に接続された底面左フラップ１１、前側板２に接続された底面前蓋２１、底面前蓋２１に接続された底面前蓋貼り合せ部２２、右側板３に接続された底面右フラップ３１、後側板４に接続された底面後蓋４１、底面後蓋４１に接続された底面後蓋貼り合せ部４２で構成されている。ワンタッチ底組式の梱包箱では底面前蓋貼り合せ部２２と底面左フラップ１１、底面後蓋貼り合せ部４２と底面右フラップ３１が糊貼りされている。
【０００５】
このように構成されたワンタッチ底組式の梱包箱を組立てたときの状態を図６で示している。底面では、底面前蓋２１の底面前蓋突き当て部２１ｂと底面後蓋４１の底面後蓋突き当て部４１ｂがお互いに当接した状態で組み立てられ、フラットな状態でなっている。
【先行技術文献】
【特許文献】
【０００６】
【特許文献１】特開２０１１−１５２９２７号公報
【発明の概要】
【発明が解決しようとする課題】
【０００７】
しかしながら、上記のようなワンタッチ底組式の梱包箱の場合、底面前蓋貼り合せ部２２と底面左フラップ１１、底面後蓋貼り合せ部４２と底面右フラップ３１が糊貼りされているため、図６の側面図で示したように底面前蓋貼り合せ部２２と底面後蓋貼り合せ部４２が底面左フラップ１１、底面前蓋２１、底面右フラップ３１、底面後蓋４１で形成される底面よりも飛び出した構成になっている。
【０００８】
図７は、ワンタッチ底組式梱包箱を集合箱に組み込むときの状態を示した斜視図である。集合箱７０には、ワンタッチ底組式の梱包箱６０を１２個収納する例である。
【０００９】
ここで、梱包箱６０を集合箱７０に対してＥ方向（図示）に収納するとき、前述の底面より飛び出している底面前蓋貼り合せ部２２と底面後蓋貼り合せ部４２が、すでに収納されている個装箱の上蓋４３に接触し、上蓋４３に摺動痕や端面が折れるという事象が発生していた。
【課題を解決するための手段】
【００１０】
上記の課題を解決するために、本発明に係る梱包箱は、
ワンタッチ底組式の梱包箱において梱包箱を組立てたとき、底面が凹形状になるように構成しかつ底面前蓋および底面後蓋に切り欠き溝部を設け、梱包箱を組立てたとき切り欠き溝部がお互いに係合するように構成した。
【００１１】
また、上述のワンタッチ底組式の梱包箱において底面右フラップと底面左フラップが底面から飛び出さない状態になるように底面を凹形状に構成した。
【発明の効果】
【００１２】
本発明に係る梱包箱によれば、底面を凹形状に構成することにより、底面前蓋貼り合せ部２２と底面後蓋貼り合せ部４２が底面よりも内側に収まり底面部の凸部がなくなるので、梱包箱を集合箱へ収納するとき、隣接する梱包箱に接触することがなく端面折れや摺動痕が発生しない良好なワンタッチ底組式の梱包箱を実現できる。また、底面前蓋および底面後蓋に切り欠き溝部を設け梱包箱を組立てたとき、切り欠き溝部がお互いに係合するように構成したことにより個装箱が変形することなく、被梱包物を保護することができる。また、底面部の凹形状により被梱包物の底面側に緩衝機能を有することが可能となり、緩衝材を新たに設ける必要がなくなる。
【図面の簡単な説明】
【００１３】
【図１】本発明の実施例であるワンタッチ底組式梱包箱の展開図である。
【図２】本発明の実施例であるワンタッチ底組式梱包箱の組立途中を説明するための斜視図である。
【図３】本発明の実施例であるワンタッチ底組式梱包箱の組立てた状態を底面側から見た斜視図である。
【図４】図３で組立てたワンタッチ底組式梱包箱に被梱包物を収納した状態を示す断面図である。
【図５】従来のワンタッチ底組式梱包箱の展開図である。
【図６】従来のワンタッチ底組式梱包箱を組立てた状態を底面側から見た斜視図および側面図である。
【図７】従来のワンタッチ底組式梱包箱を集合箱に組み込むときの状態を示す斜視図である。
【発明を実施するための形態】
【００１４】
以下、本発明の実施の形態について図面を参照して説明する。
【実施例】
【００１５】
図１は本発明の実施例であるワンタッチ底組式梱包箱の展開図である。
【００１６】
側面は、左側板１、前側板２、右側板３、後側板４、貼り合わせ部５で構成され、左側板１と貼り合せ部５が糊貼りされている。
【００１７】
上面は、左側板１に接続された左フラップ１２、右側板３に接続された右フラップ３２、後側板４に接続された上蓋４３、上蓋４３に接続された上蓋差し込み部４４で構成されている。
【００１８】
底面は、左側板１に接続された底面左フラップ１１、前側板２に接続された底面前蓋２１、底面前蓋２１に接続された底面前蓋貼り合せ部２２、右側板３に接続された底面右フラップ３１、後側板４に接続された底面後蓋４１、底面後蓋４１に接続された底面後蓋貼り合せ部４２で構成されている。
【００１９】
前述の従来例と異なり、底面左フラップ１１、底面前蓋２１、底面右フラップ３１、底面後蓋４１は下方向（図中の矢印）に延伸させており、側面を凹形状にしても隙間が発生しないようになっている。
【００２０】
また、底面前蓋貼り合せ部２２と底面左フラップ１１、底面後蓋貼り合せ部４２と底面右フラップ３１が糊貼りされている。
【００２１】
ここで、本発明の実施例の特徴である底面前蓋切欠き溝部２１ａ、底面後蓋切り欠き溝部４１ａが底面前蓋２１、底面後蓋４１に設けられている。
【００２２】
図２は本発明の実施例であるワンタッチ底組式の梱包箱の組立途中を説明するための斜視図である。
【００２３】
Ａ方向に底面前蓋２１と底面後蓋４１を回動させたとき、底面前蓋切欠き溝部２１ａと底面後蓋切り欠き溝部４１ａがお互いに係合する。
【００２４】
図３は本発明の実施例であるワンタッチ底組式梱包箱の組立てた状態を底面側から見た斜視図である
組立てた状態では、上述の底面前蓋切欠き溝部２１ａと底面後蓋切り欠き溝部４１ａがお互いに係合した状態になっている。（図示）
この状態で、梱包箱６０に対してＢ方向、Ｃ方向に外力が加わっても切欠き溝部が係合していることで個装箱６０は変形することがない。
【００２５】
したがって、個装箱６０が落下しても被梱包物を保護することができる。
【００２６】
図４は、図３で組立てたワンタッチ底組式梱包箱に被梱包物を収納した状態を示す断面図である。
【００２７】
図示の通り、底面左フラップ１１、底面前蓋２１、底面右フラップ３１、底面後蓋４１、面前蓋貼り合せ部２２、底面後蓋貼り合せ部４２が底面よりも内側になるように構成しているので、従来例のように面前蓋貼り合せ部２２と底面後蓋貼り合せ部４２が底面から飛び出すことはない。
【００２８】
したがって、梱包箱を集合箱への収納するとき、隣接する梱包箱に接触することがなく端面折れや摺動痕は発生しない。
【００２９】
また、被梱包物５０を収納した状態で底面左フラップ１１、底面前蓋２１、底面右フラップ３１底面後蓋４１により構成された底面が梱包箱６０の内側に構成されているので、この領域が被梱包物５０に対して緩衝性能を有し、梱包箱６０が落下しＤ方向に衝撃がかかった場合でも非梱包物５０を衝撃から保護することが可能となる。
【００３０】
したがって、底面側に新たに緩衝材を設ける必要がなくなる。
【符号の説明】
【００３１】
１  左側板、２  前側板、３  右側板、４  後側板、５  貼り合わせ部、
１１  底面左フラップ、１２  左フラップ、２１  底面前蓋、
２１ａ  底面前蓋切欠き溝部、２１ｂ  底面前蓋突き当て部、
２  底面前蓋貼り合わせ部、３１  底面右フラップ、３２  右フラップ、４１  底面後蓋、４１ａ  底面後蓋切欠き溝部、４１ｂ  底面後蓋突き当て部、
４２  底面後貼り合わせ部、４３  上蓋、４４  上蓋差し込み部、
５０  被梱包物、６０  梱包箱、７０  集合箱
【図１】
2020033070.tif 000003
【図２】
2020033070.tif 000004
【図３】
2020033070.tif 000005
【図４】
2020033070.tif 000006
【図５】
2020033070.tif 000007
【図６】
2020033070.tif 000008
【図７】
2020033070.tif 000009